(57)【要約】【課題】聴覚障害者は警報音をはじめとして、音響通信的手段の受容が困難で社会生活上危険を伴うことが多い【解決手段】マイクロホンによって、周囲騒音を常時集音し、その時間平均値から一定レベル以上変動した場合に聴覚障害者に対し、光学的手段で警報を発し、または必要な情報を表示することによって、情報からの隔絶を防ぎ安全かつ円滑な社会生活を支援する【選択図】図１
2012217836.tif 000002
【特許請求の範囲】
【請求項１】
騒音または信号音をマイクロホンによって集音し、その音圧レベルを、あらかじめ設定した時間長の間の平均値を算出し、その平均値から、あらかじめ設定したレベル以上に達した場合に、発光または、ディスプレーなどの視覚刺激によって警報を発することを特徴とする聴覚障害者支援装置
【請求項２】
請求項１において眼鏡フレーム等可視部位への身体装着機器にＬＥＤ等の発光素子を設置し、別に設けたマイクロホンの出力を増幅し、その電圧レベルすなわち周囲騒音のレベルが時間平均値から、事前に設定した差を超えたときに前記ＬＥＤ等を発光せしめて、難聴者に知覚せしめる聴覚障害者支援装置
【請求項３】
請求項１及び２において、マイクロホン出力に含まれる信号成分の内、警察車両（パトカー）や救急車などの緊急車両の特有のサイレン音の周波数及び持続時間の特徴を検出し、これによって特定の色を発するＬＥＤを駆動して難聴者に知覚せしめることを特徴とする聴覚障害者支援装置
【請求項４】
請求項１、２および３において、マイクロホン出力に含まれる信号成分の内、鉄道車両の接近音の周波数、上昇程度及び持続時間の特徴を検出し、これによって特定の色を発するＬＥＤを駆動して聴覚障害者に知覚せしめることを特徴とする聴覚障害者支援装置
【請求項５】
請求項１，２，３および４において、マイクロホンを自動車外面に設置し、車外音を集音して、その結果を車内に表示し、運転者および助手に警報表示をおこなうことを特徴とする聴覚障害者支援装置
【請求項６】
請求項１，２，３，４及び５において、ＬＥＤの代わりに、ヘッドマウントディスプレイによって  文字として警告する機能を有することを特徴とする聴覚障害者支援装置
【発明の詳細な説明】
【技術分野】
【０００１】      本発明は、聴覚障害者に対し、危険を警告し、聴覚障害に伴う事故を防止し、以って障害者であっても日常生活を快適かつ安全におこなうことの出来る簡便なる装置を提供するためのものである
【背景技術】
【０００２】      近年老齢者人口比率が増加するにつれて、従来からの先天性、あるいは後天性の聴覚障害者に加えて、老人性聴覚障害者が増加しつつある
老人性聴覚障害はその進行があまり急速でなく  本人、周囲共になれていくのが特徴である  その意味では日常生活が急に不便となるのではなく、当初は補聴器を使用することなく過ごすことは出来る【０００３】  しかし一歩外出すると状況はことなり、日常の音環境と異なっていることと、周囲の人は聴覚障害を認識していない  また本人も自分の障害の程度を正確に把握していないことが多く、健常者に対して発せられる警報音が知覚されずにいて事故に遭遇するか  遭遇しなくても周辺に迷惑をかけることもある
【先行技術文献】
【０００４】
【特許文献１】  特開２００７−３３４１４９
【発明の概要】
【発明が解決しようとする課題】
【０００５】      本発明はこれらの不便を解消して聴覚障害者を支援することが課題である  その不便を解消するためには一般的に補聴器を用いることが多いが、補聴器は、あまり騒音レベルの高くない環境で、特定の相手と会話するのには、ほぼ用途を満たすものも多数あるが、本発明の対象としている用途に対しては以下のような弱点がある【０００６】      その一つは電池寿命である  上の目的には常時電源をＯＮ  にしておく必要があるが電池の寿命を考慮すると制限を受ける  その二は疲労である  常時ＯＮ  としているため、不要な音が侵入しつかれさせる  特に摩擦音、風きり音が疲れさせる  その三はハウリングである  マイクロホンとイヤホンが近傍に存在する補聴器では、この間の音響帰還によってハウリングが発生するため増幅器の利得に上限がある、
【課題を解決する手段】
【０００７】      本発明の骨子は、１または複数個のマイクロホン、信号処理回路および表示素子からなる  以下具体的構成と作用について説明する
図１に本発明の基本部分を示す
図１において、１はマイクロホン、２はプリアンプで、一般にはマイクロホンと一体に組み立てられている  ３は信号調整器、４は持続時間設定器、５は信号の時間平均装置、６はメモリ、７は比較器、８はレベル差設定器、９は判定回路、１０はＬＥＤ駆動回路、１１はＬＥＤである
なお上記４および８は可変抵抗器であり、２，３，５，６，７，９，１０は電子回路である  本図は説明のために機能別の  ブロック図として表したもので、電子回路は全体として、集積化されていることはもちろんである
【０００８】      次にこの基本部分の動作を説明する
外来音は信号としてマイクロホン１によって集音される
図ではマイクロホンは一個であるが、複数個として指向特性を調整することは、設計段階での当業者の選択であって動作の特性は変わるが、基本機能は同一である
【０００９】    外来音はマイクロホンによって集音され電気信号に変換された後プリアンプ２を経由して信号調整器３に供給される信号調整器はレベルおよび周波数特性を調整するもので。設計目的によって、たとえばサイレン音のスペクトルを強調したり、鉄道走行音を強調したりできる
【００１０】    信号調整器の出力信号は時間平均装置５に供給され、所定の時間平均化される  平均化の時間は持続時間設定器４によって設定される  この平均値は、メモリ６に記憶される而して設定された持続時間に従って連続的に移動平均され、常に周囲の定常騒音レベルが保持される  したがって、静寂なところではこの平均値は低く、喧騒のところでは高く設定される
【００１１】  一方信号調整器の出力は瞬時値であるが、常に比較器７によって、平均値と比較されている  瞬時値が平均値に対してあらかじめレベル差設定器８によって設定されているレベル差を超えたときに、判定回路９が出力を発し  ＬＥＤ駆動回路はこれに対応して、ＬＥＤが発光する
かくして聴覚障害者に警報を与え、本発明の目的を達成する
【００１２】    この場合、ＬＥＤを複数としてレベル差に応じて発光数を変えるとか、異なった色のＬＥＤのよって、たとえばレベル差の大きいときには赤色、そうでないときには橙色にするとか各種のバリエーションがあるが、それは当業者の選択によって任意に設計できる
【発明の効果】
【００１３】  本発明により、聴覚障害者が安全かつ容易に社会生活を営むことが支援され、安全と福祉に寄与するところはなはだ大である
なお、本明細書においては、主として人体装着型で、携帯の容易なタイプを対象として記述したが、自動車等の移動体に装着することはきわめて容易であることを付記する
【図面の簡単な説明】
【００１４】
【図１】本発明の基本の構成を示すブロック図
【図２】本発明の１実施例
【図３】本発明の他の実施例のブロック図
【図４】本発明の他の１実施例
【発明を実施するための形態】
【００１５】
【実施例１】
【００１６】    図２に１実施例を示す  これはメガネフレームの蝶番部分の内側にＬＥＤ１１を設置し、フレーム外側にマイクロホン、フレームの片側に電子回路、他の片側に電池を設置した例である
図２は側面図が左右１対、正面図、下面図の４図一組で表してある
図２において１−１１は図１と同様であるので説明は省略する
ただし図２の実施例では、マイクロホンからＬＥＤに至る回路構成を左右の独立した２チャンネルで構成しているこれにより左右の当来波がそれぞれ左右のＬＥＤを駆動することになり、故障に対する信頼性が向上すると共に方向性も得られる利点がある
なお電子回路はこの集積回路に収容されている
図２において１２は電池、１３は蝶番の内側に設置されたＬＥＤ、１４は眼鏡レンズ１５はメガネフレームのつる部分である
【実施例２】
【００１７】    図３に他の実施例を示す  この実施例では、図１に示した基本構成を図２に示した眼鏡フレーム型に組み立てるもので、外観的には特に変わらないので、ブロック図のみにて説明する【００１８】図１および図２と比較して、図３では新しくじかに移動相関気器２０が導入されている  これは眼鏡フレームの左右に取り付けられたマイクロホンから導かれる比較器７の２つの出力を時間軸上の移動相関をとるものである【００１９】    左右のマイクロホンは約１５ｃｍ離れているので、たとえば右方向から到来する音は約０．３５ミリセコンド後に左のマイクロホンに到達する  したがって右側マイクロホンから導入される比較器出力に０．３５ミリセコンドの遅延を施せば、左側比較器出力との相関が最大になる
これを利用して、右方向から音が到来するときには右のＬＥＤの発光を最大とし、以下方向を推定することによって、警報が、正確かつ、有効に目的を達成できる
【実施例４】
【００２０】      図５に他の実施例を示す
この例では、ＬＥＤ  のほかに液晶パネル等によるディスプレーデバイスをレンズ上またはその他の視野内に設置し、警報を記号または文字で表示し、警報を与えると共に、簡単な付加情報を表示できるようにしたものである
勿論近年技術が成熟した観のある音声認識チップ等を活用すれば、話声を表示しコミュニケーションを図ることもできることは言を俟たない【００２１】      なおこれらの実施例は、特許文献１と類似のように見えるが、文献１では単に既存のハードウエア  コンポーネントを接続したものであって、新しいアルゴリズムまたはソフトウエアは見られず、当業者が容易に構成できるものであるのに対し、本発明は、すでに述べたごとく、聴覚障害者が実際に使用する環境の暗騒音レベルを把握し、それを基準として、それよりもどのぐらい大きい場合に警報表示を発するかをあらかじめ設定しておくことにより、静寂な環境ではそれを一定量超えたとき、喧騒な環境でもやはりそれを一定量越えたときに警報信号を発し、あたかも健常者が、無意識で調整し認識しているごとき警報が発せられる．  このように特許文献１とはまったく異なった動作と効果を有するものであることを強調するものである
【符号の説明】
【００２２】    １・・マイクロホン
２・・プリアンプ
３・・信号調整器
４・・持続時間設定器
５・・信号の時間平均装置
６・・メモリ
７・・比較器
８・・レベル差設定器
９・・判定回路
１０・ＬＥＤ駆動回路
１１・ＬＥＤ
１２・電池
１３・蝶番背面ＬＥＤ
１４・眼鏡レンズ
１５・眼鏡フレームのつる
２０・移動相関器
２１・ディスプレーデバイス
【図１】
2012217836.tif 000003
【図２】
2012217836.tif 000004
【図３】
2012217836.tif 000005
【図４】
2012217836.tif 000006